(57)【要約】【課題】耐候性試験中に試料の劣化の進行具合を把握できる耐候性試験装置を提供する。【解決手段】内部に試料Ｗを収め、屋外環境を人工的に再現し、試料Ｗの劣化を促進させる耐候性試験を行うための試料室１２と、試料Ｗに照射光Ｌを照射して劣化を促進させる光源部１４と、レンズ１７を通して試料室１２の外側から試料室１２の内部を撮影するカメラ１６と、試料室１２への光源部１４の照射光Ｌの入射を遮蔽可能にする第１シャッター２８と、試料室１２に照射光Ｌが入射されている間、試料室１２とレンズ１７との間に位置し、試料室１２からレンズ１７への光を遮蔽する第２シャッター３４と、を備えた。【選択図】図１
2019211287.tif 000002
【特許請求の範囲】
【請求項１】
内部に試料を収め、屋外環境を人工的に再現し、前記試料の劣化を促進させる耐候性試験を行うための試料室と、
前記試料に光を照射して劣化を促進させる光源と、
レンズを通して前記試料室の外側から前記試料室の内部を撮影するカメラと、
前記試料室への前記光源の照射光の入射を遮蔽可能にする第１遮蔽体と、
前記試料室に前記照射光が入射されている間、前記試料室と前記レンズとの間に位置し、前記試料室から前記レンズへの光を遮蔽する第２遮蔽体と、
を備えたことを特徴とする耐候性試験装置。
【請求項２】
前記耐候性試験中に前記カメラが撮影するときは、
前記第１遮蔽体は、前記試料室に入射する前記光源の照射光を遮蔽し、
前記第２遮蔽体は、前記試料室と前記レンズとの間から退避し、前記カメラが前記試料室の中を撮影可能にする
ことを特徴とする請求項１に記載の耐候性試験装置。
【請求項３】
前記耐候性試験を制御する制御部と、前記カメラが撮影した複数の画像同士を比較して差が見られるか否かを判定する画像変化判定部と、前記カメラが撮影した画像を表示する画像表示部と、を備え、
前記画像変化判定部が前記複数の画像の間に差が見られたと判定した場合、前記制御部は、前記耐候性試験を停止し、前記画像表示部に前記カメラが撮影した画像を表示する
ことを特徴とする請求項１または２に記載の耐候性試験装置。
【請求項４】
前記画像変化判定部は、前記カメラが撮影した複数の画像同士を比較して前記試料の色の差、及びまたは形状の差が見られるか否かを判定する
ことを特徴とする請求項３に記載の耐候性試験装置。
【請求項５】
前記画像変化判定部は、前記耐候性試験の開始前に前記カメラが撮影した画像と、前記耐候性試験の開始後に前記カメラが撮影した画像とを比較する
ことを特徴とする請求項３または４に記載の耐候性試験装置。
【請求項６】
前記耐候性試験の開始後における前記カメラの撮影は、一定の期間を空けて行われる
ことを特徴とする請求項５に記載の耐候性試験装置。
【発明の詳細な説明】
【技術分野】
【０００１】
本発明は、耐候性試験装置に関する。
【背景技術】
【０００２】
従来、屋外環境における製品や材料の寿命等を予測するために、太陽光に代わる光源や、降雨に代わるシャワー、温度調節機能等を備え、これらを用いて屋外環境を人工的に再現し、試料の劣化を促進させる耐候性試験装置が知られている。
この耐候性試験装置のように、試料の劣化を促進させる装置では、試料の劣化を促進させた後に、目視や顕微鏡等を用いて試料を観察し、評価するものが知られている（例えば、特許文献１参照）。
一方、風洞試験や気流の計測等においては、試験開始前、及び試験中の測定領域を、カメラを用いてそれぞれ撮影し、これらを比較することによって流れを可視化する方法が知られている（例えば、特許文献２参照）。
【先行技術文献】
【特許文献】
【０００３】
【特許文献１】特開２００２−３５０３２８号公報
【特許文献２】特開２０１２−１４５４３０号公報
【発明の概要】
【発明が解決しようとする課題】
【０００４】
従来の耐候性試験装置には、風洞試験等で用いられるカメラのように劣化の促進時に試料を撮影する手段がなく、試料の劣化の進行具合を把握することが難しく、試料の劣化の変化点をとらえることができない場合があった。
本発明は、耐候性試験中に試料の劣化の進行具合を把握できる耐候性試験装置を提供することを目的とする。
【課題を解決するための手段】
【０００５】
本発明は、内部に試料を収め、屋外環境を人工的に再現し、前記試料の劣化を促進させる耐候性試験を行うための試料室と、前記試料に光を照射して劣化を促進させる光源と、レンズを通して前記試料室の外側から前記試料室の内部を撮影するカメラと、前記試料室への前記光源の照射光の入射を遮蔽可能にする第１遮蔽体と、前記試料室に前記照射光が入射されている間、前記試料室と前記レンズとの間に位置し、前記試料室から前記レンズへの光を遮蔽する第２遮蔽体と、を備えたことを特徴とする耐候性試験装置である。
【０００６】
本発明は、上記耐候性試験装置において、前記耐候性試験中に前記カメラが撮影するときは、前記第１遮蔽体は、前記試料室に入射する前記光源の照射光を遮蔽し、前記第２遮蔽体は、前記試料室と前記レンズとの間から退避し、前記カメラが前記試料室の中を撮影可能にすることを特徴とする。
【０００７】
本発明は、上記耐候性試験装置において、前記耐候性試験を制御する制御部と、前記カメラが撮影した複数の画像同士を比較して差が見られるか否かを判定する画像変化判定部と、前記カメラが撮影した画像を表示する画像表示部と、を備え、前記画像変化判定部が前記複数の画像の間に差が見られたと判定した場合、前記制御部は、前記耐候性試験を停止し、前記画像表示部に前記カメラが撮影した画像を表示することを特徴とする。
【０００８】
本発明は、上記耐候性試験装置において、前記画像変化判定部は、前記カメラが撮影した複数の画像同士を比較して前記試料の色の差、及びまたは形状の差が見られるか否かを判定することを特徴とする。
【０００９】
本発明は、上記耐候性試験装置において、前記画像変化判定部は、前記耐候性試験の開始前に前記カメラが撮影した画像と、前記耐候性試験の開始後に前記カメラが撮影した画像とを比較することを特徴とする。
【００１０】
本発明は、上記耐候性試験装置において、前記耐候性試験の開始後における前記カメラの撮影は、一定の期間を空けて行われることを特徴とする。
【発明の効果】
【００１１】
本発明によれば、耐候性試験中に試料の劣化の進行具合を把握できる。
【図面の簡単な説明】
【００１２】
【図１】本発明の実施形態に係る耐候性試験装置の概略構成を示した図である。
【図２】耐候性試験装置の機能的構成を示すブロック図である。
【図３】耐候性試験装置の動作を示すフローチャートである。
【図４】耐候性試験を設定時間まで継続する場合の耐候性試験装置の動作を示すフローチャートである。
【発明を実施するための形態】
【００１３】
以下、図面を参照して本発明の実施形態について説明する。
図１は、本発明の実施形態に係る耐候性試験装置１０の概略構成を示した図である。
図１に示すように、耐候性試験装置１０は、屋外環境を人工的に再現して人為的に試料Ｗを劣化させ、劣化を促進する耐候性試験を行うものである。試料Ｗは、屋外で使用されるものであり、例えば太陽電池や自動車部品、塗料、樹脂部品等が用いられる。なお、この耐候性試験は、通常数時間から数千時間連続して行われる。
【００１４】
耐候性試験装置１０は、筐体１１と、カメラ１６と、モニタ１８と、記憶装置２０と、制御装置２２と、を備えている。
筐体１１は、箱状体であり、この内部には、試料室１２と、光源部１４とが設けられている。筐体１１の側面には、試料Ｗを試料室１２に収めるための試料室扉１３が設けられている。
試料室１２は、試料Ｗを内部に収める空間であり、内部には、試料Ｗを載置する試料台２４が設けられている。また、試料室１２は、内部に屋外環境を人工的に再現することができ、内部の温度、及び湿度が調節可能となっている。本実施形態の試料室１２の内部は、温度がマイナス５０度から１５０度まで、湿度が３０％から９５％まで調節可能である。さらに、試料室１２は、内部の環境を所定の条件下に保てるように密閉可能となっている。
光源部１４は、試料Ｗに照射光Ｌを照射して光劣化を促進するものであり、屋外環境において、太陽光が試料Ｗへ及ぼす影響を再現することができる。この光源部１４は、試料室１２の上部に設けられており、複数のランプ２６を備えている。本実施形態のランプ２６は、いずれもメタルハライドランプであり、試料Ｗに紫外線光を照射して紫外線劣化を促進する。なお、ランプ２６は、赤外線光を照射するハロゲンランプや、疑似太陽光を照射するキセノンランプであってもよい。これらの照射光Ｌの照射量は、１００ｍＷ／ｃｍ２程度となっている。
【００１５】
試料室１２と、光源部１４との間には、開閉可能な第１シャッター２８（第１遮蔽体）が設けられている。第１シャッター２８は、光源部１４による光照射時には開かれ、後述するカメラ１６による撮影時等、耐候性試験中に光照射を中断する必要がある場合に閉じられる。これによって、光源部１４に点灯や消灯まで一定の時間がかかるランプが用いられていても、試料室１２の内部への光源部１４からの照射光Ｌを即時に遮蔽することが可能である。このため、耐候性試験中に各ランプ２６の点灯、及び消灯の制御を行わなくても、試料室１２の内部への照射光Ｌの調節が可能となっている。なお、第１シャッター２８は、開度を無段階に調節可能として、照射光Ｌの減光を行ってもよい。
【００１６】
カメラ１６は、試料Ｗを撮影する撮影装置であり、耐候性試験時の環境に影響されないように筐体１１の外部に設けられ、また、光源部１４の照射光Ｌが直接照射されない位置に配置されている。カメラ１６は、カラー画像の撮影が可能なデジタルカメラであり、カメラ１６の撮影時に撮影対象に光を照射する発光装置３０が設けられている。この発光装置３０には、例えばストロボやＬＥＤランプ等が用いられる。また、本実施形態のカメラ１６は、パン、チルト、ズーム等の機能を有しており、試料Ｗ、あるいは試料室１２の特定箇所を選択して撮影することが可能である。
【００１７】
また、カメラ１６が試料Ｗを撮影することを可能にするために、筐体１１の側面には、試料室１２の内部を観察可能な観察窓３２（開口部）が設けられている。観察窓３２には、試料室１２の密閉状態を保つためにガラス等の透明部材がはめ込まれており、カメラ１６は、この観察窓３２から試料Ｗを撮影する。また、観察窓３２には、当該観察窓３２を塞ぐ第２シャッター３４（第２遮蔽体）が設けられている。この第２シャッター３４は、筐体１１の外側面に沿ってスライド移動可能に設けられており、観察窓３２の開閉が可能となっている。これによって、耐候性試験の実施中に光源部１４からの照射光Ｌが観察窓３２から漏れ出してレンズ１７に入射することを防ぎ、カメラ１６のレンズ１７の劣化を防ぐことができる。この第２シャッター３４は、カメラ１６の撮影時には、観察窓３２からスライド移動して退避し、カメラ１６が試料室１２の内部を撮影することを可能にする。
【００１８】
モニタ１８は、画像表示部であり、筐体１１の外側面に設けられ、カメラ１６が撮影した画像（画像）や、当該画像が撮影された時間等を表示する。
記憶装置２０は、筐体１１の外側面に設けられ、カメラ１６が撮影した画像を記憶する記憶部３６（図２）を備えており、耐候性試験時には、カメラ１６が撮影した画像が記憶される。
制御装置２２は、筐体１１の外側面に設けられ、耐候性試験装置１０が行う耐候性試験の制御や、カメラ１６が撮影した画像の処理等を行う。
【００１９】
図２は、耐候性試験装置１０の機能的構成を示すブロック図である。
制御装置２２は、ＣＰＵやＭＰＵ等のプロセッサを備えたコンピュータによって構成され、図２に示すように、機能的構成として、制御部３８と、画像変化判定部４０とを有している。
制御部３８は、耐候性試験装置１０が行う耐候性試験を制御する。これによって、光源部１４が有する各ランプ２６が点灯、または消灯され、試料室１２の内部が所定の温度、及び湿度に調整される。また、制御部３８は、カメラ１６に画像撮影の指示や、第１シャッター２８、及び第２シャッター３４に開閉を指示する。
具体的には、制御部３８は、カメラ１６に画像撮影を指示すると同時に、第１シャッター２８を閉じ、第２シャッター３４を開くように指示する。第２シャッター３４が開くと、カメラ１６は、画像撮影を行い、撮影した画像を制御部３８に出力し、当該制御部３８は、この画像を記憶部３６に記憶させる。
画像撮影が終了すると、制御部３８は、第１シャッター２８を開き、第２シャッター３４を閉じるように指示する。このように第１シャッター２８を開閉することによって、即時に試料室１２の内部への光源部１４からの照射光Ｌが遮蔽され、カメラ１６による撮影を短時間で行うことができ、また、撮影後に即時に耐候性試験を継続することができる。
なお、第１シャッター２８の開閉によらず、各ランプ２６を消灯し、その間にカメラ１６で試料Ｗを撮影してもよい。
【００２０】
また、このカメラ１６の撮影は、耐候性試験中に一定の期間を空けて設けられたカメラ撮影期間中に行われる。これによって、撮影される画像枚数が抑制され、記憶部３６が記憶する画像のデータ量の増加を抑えることができる。
なお、光源部１４が有する各ランプ２６が点灯と消灯とを繰り返すような一定の周期性を有する耐候性試験を行う場合は、各ランプ２６の消灯毎にカメラ１６による試料Ｗの撮影を行ってもよい。
【００２１】
画像変化判定部４０は、カメラ１６が撮影した複数の画像同士を比較し、試料Ｗに変化が見られるか否かを判定する。本実施形態では、画像変化判定部４０は、耐候性試験の開始前に撮影された試料Ｗの画像を初期画像とし、当該初期画像と、耐候性試験開始後（耐候性試験中）に撮影された試験中画像とを比較し、これらに差が見られるか否かを判定する。
具体的には、画像変化判定部４０は、耐候性試験が開始されると、記憶部３６からカメラ１６が撮影した試験中画像を取得し、当該試験中画像と、初期画像との差分演算を行う。この差分演算は、試料Ｗの色、及びまたは形状を基に行われる。この演算の結果、初期画像と、試験中画像との差を認識すると、画像変化判定部４０は、試料Ｗに変化が生じたと判定し、制御部３８に耐候性試験の終了（停止）の指示を出す。これによって、耐候性試験装置１０は、耐候性試験による試料Ｗの色の変化、及びまたは形状の変化を把握し、評価することができる。
【００２２】
また、画像変化判定部４０は、耐候性試験の終了の指示と同時に、初期画像との差分が認識された試験中画像や、この試験中画像が撮影された時間等のデータをモニタ１８に表示させる。これによって、カメラ１６が撮影した画像を試料室１２の外部に表示することができ、試料Ｗを試料室１２から取り出さずに試料Ｗの変化を把握し、評価することができる。
【００２３】
図３は、耐候性試験装置１０の動作を示すフローチャートである。
制御部３８は、試料室１２に試料Ｗが収められると、カメラ１６に初期画像の撮影を指示する（ステップＳ１Ａ）。これによって、カメラ１６は、耐候性試験の開始前の試料Ｗを撮影する（ステップＳ２Ａ）。撮影された画像は、制御部３８に出力され、初期画像として記憶部３６に記憶される（ステップＳ３Ａ）。画像変化判定部４０は、記憶部３６からこの初期画像を取得する（ステップＳ４Ａ）。
そして、制御部３８は、耐候性試験装置１０に耐候性試験の開始を指示する（ステップＳ５Ａ）。この処理によって、光源部１４の各ランプ２６が点灯され、耐候性試験が開始される（ステップＳ６Ａ）。
【００２４】
耐候性試験中の試料Ｗは、カメラ撮影期間中にカメラ１６によって撮影される（ステップＳ７Ａ）。撮影された試験中画像は、いずれも制御部３８に出力され、記憶部３６に記憶される（ステップＳ８Ａ）。これによって、耐候性試験装置１０は、試料Ｗの劣化の進行具合を記録することができる。
記憶部３６に記憶された各試験中画像は、いずれも画像変化判定部４０に取得される（ステップＳ９Ａ）。画像変化判定部４０は、取得した試験中画像と、初期画像とを比較し、これらの間で色の差、及びまたは形状の差が見られるか否かを判定する（ステップＳ１０Ａ）。
差が見られなかった場合、画像変化判定部４０は、試料Ｗの色の変化、及びまたは形状の変化が発生していない、と判定し、耐候性試験が継続され、カメラ１６による撮影も継続される。そして、画像変化判定部４０は、次に撮影されて記憶された試験中画像を記憶部３６から取得する。
【００２５】
差が見られた場合、画像変化判定部４０は、試料Ｗの色の変化、及びまたは形状の変化が発生した、と判定し、当該試験中画像と、当該試験中画像が撮影された時間とをモニタ１８に表示するように指示し、同時に制御部３８に耐候性試験の終了を指示する（ステップＳ１１Ａ）。これを受けて、制御部３８は、耐候性試験装置１０に耐候性試験の終了を指示し（ステップＳ１２Ａ）、これらの処理によって、光源部１４が有する各ランプ２６が消灯され、耐候性試験が終了する。
これによって、耐候性試験中に試料Ｗを取り出すことなく、当該試料Ｗの色の変化、及びまたは形状の変化が発生したことを確認することができる。また、試料Ｗの色の変化、及びまたは形状の変化の発生が確認されたときに耐候性試験が終了するため、耐候性試験の実施時間が短くなり、短時間で試料Ｗの評価を行うことができる。加えて、カメラ１６によって撮影される試験中画像の枚数が抑制され、データ量の増加を抑えることができる。
【００２６】
なお、耐候性試験の目的や、試料Ｗの性質、用途等の条件によって、画像変化判定部４０は、初期画像と試験中画像との色の差のみ、もしくは、形状の差のみを判定してもよい。
また、画像変化判定部４０は、初期画像と試験中画像との色の差が見られた場合は、モニタ１８への試験中画像の表示のみ行って耐候性試験を継続し、初期画像と試験中画像との形状の差が見られた場合にのみ耐候性試験を終了してもよい。
また、画像変化判定部４０は、初期画像に限らず、耐候性試験開始後に撮影された複数の試験中画像同士を比較してもよい。
また、耐候性試験装置１０は、取得した試験中画像と、初期画像とを比較し、試料Ｗに色、及びまたは形状の差が見られるか否かを画像変化判定部４０が判定する毎に、試験中画像をモニタ１８に表示してもよい。
【００２７】
上述した実施形態によれば、次のような効果を奏する。
【００２８】
本実施形態の耐候性試験装置１０では、内部に試料Ｗを収める試料室１２と、試料Ｗに光を照射して光劣化を促進させる光源部１４と、筐体１１の外部から試料室１２の内部を撮影するカメラ１６とを設けた。また、試料室１２への光源部１４からの照射光Ｌの入射を遮蔽可能にする第１シャッター２８と、カメラ１６が試料室１２の内部を撮影可能にする観察窓３２とを筐体１１の側面に設け、当該観察窓３２に照射光Ｌからレンズ１７を遮蔽する第２シャッター３４を設けた。
これによって、屋外環境において太陽光が試料Ｗへ及ぼす影響を再現する耐候性試験中に、試料Ｗの画像を撮影することができ、試料Ｗの劣化の進行具合を記録することができる。また、耐候性試験の実施中に光源部１４からの照射光Ｌが観察窓３２から漏れ出すことを防ぎ、カメラ１６のレンズ１７の劣化を防ぐことができる。
【００２９】
また、本実施形態の耐候性試験装置１０では、耐候性試験中にカメラ１６が撮影するときは、第１シャッター２８は、試料室１２に入射する光源部１４の照射光Ｌを遮蔽し、第２シャッター３４は、試料室１２とレンズ１７との間から退避し、カメラ１６が試料室１２の中を撮影可能にする構成とした。これによって、光源部１４に点灯や消灯に一定の時間がかかるランプが用いられていても、試料室１２の内部、及びカメラ１６を光源部１４の照射光Ｌから即時に遮蔽することができる。このため、カメラ１６による撮影を短時間で行うことができ、撮影後にも即時に耐候性試験を継続することができる。また、耐候性試験中に各ランプ２６の点灯、及び消灯の制御を行わなくても、試料室１２の内部への照射光Ｌの調節ができる。
【００３０】
また、本実施形態の耐候性試験装置１０では、耐候性試験を制御する制御部３８と、カメラ１６が撮影した複数の画像同士を比較して差が見られるか否かを判定する画像変化判定部４０と、カメラ１６が撮影した画像を表示するモニタ１８とを備える構成とした。そして、画像変化判定部４０が複数の画像の間に差が見られたと判定した場合、制御部３８は、耐候性試験を終了し、モニタ１８にカメラ１６が撮影した画像を表示する構成とした。これによって、耐候性試験中に試料Ｗを取り出すことなく、当該試料Ｗの変化が発生したことを確認でき、また、試料Ｗの変化が見られた画像を試料室１２の外部に表示することができる。さらに、試料Ｗが変化したときに耐候性試験が終了するため、耐候性試験の実施時間が短くなり、短時間で試料Ｗの評価を行うことができる。加えて、カメラ１６によって撮影される画像の枚数が抑制され、データ量の増加を抑えることができる。
【００３１】
また、本実施形態の耐候性試験装置１０では、画像変化判定部４０は、カメラ１６が撮影した複数の画像同士を比較して色の差、及びまたは形状の差が見られるか否かを判定する構成とした。これによって、耐候性試験装置１０は、耐候性試験による試料Ｗの色の変化、及びまたは、形状の変化を把握し、評価することができる。
【００３２】
また、本実施形態の耐候性試験装置１０では、画像変化判定部４０は、耐候性試験の開始前にカメラ１６が撮影した初期画像と、耐候性試験の開始後にカメラ１６が撮影した試験中画像とを比較する構成とした。これによって、耐候性試験によって生じた試料Ｗの変化を把握し、評価することができる。
【００３３】
また、本実施形態の耐候性試験装置１０では、カメラ１６の撮影は、耐候性試験中に一定の期間を空けて設けられたカメラ撮影期間中に行われる構成とした。これによって、撮影される画像枚数が抑制され、記憶部３６が記憶する画像のデータ量の増加を抑えることができる。
【００３４】
なお、上述した実施形態は、あくまでも本発明の一態様の例示であり、本発明の要旨の範囲において任意に変形、及び応用が可能である。
【００３５】
上述した実施形態では、画像変化判定部４０が複数の画像の間に差が見られたと判定した場合、耐候性試験を終了する構成を説明した。しかしながら、これに限らず、例えば図４に示すように、耐候性試験装置１０は、初期画像と試験中画像との色の差、及びまたは形状の差が見られたと判定された場合であっても、所定時間が経過するまで耐候性試験を継続してもよい。
詳述すると、図４に示すように、制御部３８は、耐候性試験が開始されると、耐候性試験の実施時間があらかじめ設定された耐候性試験の設定時間を越えたか否かを判定する（ステップＳ７Ｂ）。
【００３６】
越えていないと判定された場合、耐候性試験が継続され、上述した実施形態と同様に、カメラ撮影期間中にカメラ１６が試料Ｗを撮影し、画像変化判定部４０によって、撮影された試験中画像と初期画像との比較から、試料Ｗの色の変化、及びまたは形状の変化が発生しているか否かの判定が行われる（ステップＳ８Ｂ〜ステップＳ１１Ｂ）。
変化が発生していないと判定された場合、再び制御部３８によって耐候性試験の実施時間が耐候性試験の設定時間を越えたか否かが判定される（ステップＳ７Ｂ）。
変化が発生したと判定された場合、画像変化判定部４０は、当該試験中画像と、経過時間とをモニタ１８に表示するように指示する（ステップＳ１２Ｂ）。そして、再び制御部３８によって耐候性試験の実施時間が耐候性試験の設定時間を越えたか否かが判定される（ステップＳ７Ｂ）。
耐候性試験の実施時間があらかじめ設定された耐候性試験の設定時間を越えたと判定された場合、制御部３８は、耐候性試験装置１０に耐候性試験の終了を指示する（ステップＳ１３Ｂ）。これらの処理によって、光源部１４が有する各ランプ２６が消灯され、耐候性試験が終了する。これによって、耐候性試験装置１０は、あらかじめ設定された設定時間で耐候性試験を終了することが可能となる。
【００３７】
なお、モニタ１８には、最初に変化が発生したと判定された試験中画像のみが表示され、当該試験中画像よりも後に撮影された試験中画像は、いずれもモニタ１８に表示されないように設定することも可能である。また、最初に変化が発生したと判定された場合、この判定後から耐候性試験が終了するまでに撮影された試験中画像は、変化が発生しているか否かの判定に関わらず、いずれもモニタ１８に表示されるように設定することも可能である。これらのモニタ１８への表示方法は、耐候性試験の設定時間の設定と同様に、耐候性試験の開始前にいずれか１つを選択して設定することが可能である。
【００３８】
上述した耐候性試験装置１０は、試料Ｗの劣化を促進させるために光源部１４を備える構成とした。しかしながら、これに限らず、例えば試料Ｗに放水する散水装置（シャワー）や、試料室１２の内部の温度や湿度を調節する空冷ファン、ヒータ、加湿器等の屋外環境を再現可能な装置を備えていてもよい。また、これらの装置と、光源部１４とを組み合わせて備えていてもよい。
また例えば、光源部１４が備える光源には、各種のランプに限らずＬＥＤ等の発光素子を用いてもよい。
【００３９】
また例えば、試料Ｗの温度が検出可能となる赤外線カメラを用いてもよい。また、暗所でも撮影可能な高感度カメラを用いてもよい。また、カメラ１６のレンズ１７の前面に開閉可能な遮蔽体を設け、光源部１４の照射光Ｌからレンズ１７を遮蔽可能としてもよい。
また例えば、モニタ１８は、耐候性試験装置１０から独立して設けられ、画像変化判定部４０から無線通信等で画像を取得してもよい。
また、初期画像と試験中画像との色の差、及びまたは形状の差が見られ、耐候性試験を一度終了した後に、試料Ｗを取り出さずに新たな耐候性試験を開始してもよい。この場合、試料Ｗの最初の変化と、次の変化とを比較し、評価することが可能となる。このような試験では、例えば、最初の変化が見られても使用可能である試料Ｗの次の変化を把握し、評価することが可能である。
【符号の説明】
【００４０】
１０  耐候性試験装置
１１  筐体
１２  試料室
１４  光源部（光源）
１６  カメラ
１７  レンズ
１８  モニタ（表示部）
２０  記憶装置
２２  制御装置
２６  ランプ
２８  第１シャッター（第１遮蔽体）
３２  観察窓（開口部）
３４  第２シャッター（第２遮蔽体）
３６  記憶部
３８  制御部
４０  画像変化判定部
Ｌ  照射光
Ｗ  試料
【図１】
2019211287.tif 000003
【図２】
2019211287.tif 000004
【図３】
2019211287.tif 000005
【図４】
2019211287.tif 000006